(57)【特許請求の範囲】
【請求項１】
１または複数の第１室内機（１０、１１）と第１室外機（１２）とを含む第１機器群監視対象（１）と、
前記第１室内機（１０、１１）および前記第１室外機（１２）の全てと通信可能に接続されており、第１の固有のＩＤ（３３）を有している第１接続装置（３０）と、
１または複数の第２室内機（２０、２１、２２）と第２室外機（２３）とを含む第２機器群監視対象（２）と、
前記第２室内機（２０、２１、２２）および前記第２室外機（２３）の全てと通信可能に接続されており、第２の固有のＩＤ（４３）を有している第２接続装置（４０）と、
前記第１接続装置（３０）および前記第２接続装置と通信可能に接続され、前記第１接続装置および前記第２接続装置から受信したデータを格納する監視メモリ（７４）を有する監視装置（７０）と、
を備え、
前記第１接続装置（３０）は、前記第１接続装置（３０）に対して電源の供給が開始される度に、前記第１室内機（１０、１１）および前記第１室外機（１２）の全てと通信を行って前記第１機器群監視対象（１）の構成および種類の少なくとも１つを示す第１構成種類情報（３４、３５）を収集し、前記第１構成種類情報（３４、３５）を前記第１接続装置（３０）の前記第１の固有のＩＤ（３３）と共に前記監視装置（７０）に送信し、
前記第２接続装置（４０）は、前記第２接続装置（４０）に対して電源の供給が開始される度に、前記第２室内機（２０、２１、２２）および前記第２室外機（２３）の全てと通信を行って前記第２機器群監視対象（２）の構成および種類の少なくとも１つを示す第２構成種類情報（４４、４５）を収集し、前記第２構成種類情報（４４、４５）を前記第２接続装置（４０）の前記第２の固有のＩＤ（４３）と共に前記監視装置（７０）に送信する、
空気調和システム（１００）。
【請求項２】
前記第１機器群監視対象（１）には、前記第１接続装置（３０）が、
前記第２機器群監視対象（２）には、前記第２接続装置（４０）が、
それぞれ１対１に対応して設けられている、
請求項１に記載の空気調和システム（１００）。
【請求項３】
前記監視メモリ（７４）は、前記第１構成種類情報（３４、３５）と前記第１の固有のＩＤ（３３）とを対応付けて格納しつつ、前記第２構成種類情報（４４、４５）と前記第２の固有のＩＤ（４３）とを対応付けて格納しており、
前記監視装置（７０）は、
前記第１接続装置（３０）から前記第１構成種類情報（３４、３５）と前記第１の固有のＩＤ（３３）を受信する度に、前記監視メモリ（７４）の前記第１接続装置（３０）の前記第１の固有のＩＤ（３３）に対応して格納されている前記第１構成種類情報（３４、３５）を上書きし、
前記第２接続装置（４０）から前記第２構成種類情報（４４、４５）と前記第２の固有のＩＤ（４３）を受信する度に、前記監視メモリ（７４）の前記第２接続装置（４０）の前記第２の固有のＩＤ（４３）に対応して格納されている前記第２構成種類情報（４４、４５）を上書きする、
請求項１または２に記載の空気調和システム（１００）。
【請求項４】
前記第１接続装置（３０）は、前記第１機器群監視対象（１）に内蔵されており、
前記第２接続装置（４０）は、前記第２機器群監視対象（２）に内蔵されている、
請求項１から３のいずれか１項に記載の空気調和システム（１００）。
【請求項５】
１または複数の室内機（１０、１１、２０、２１、２２）と室外機（１２、２３）とを含む機器群監視対象（１、２）と、
前記室内機（１０、１１、２０、２１、２２）および前記室外機（１２、２３）の全てと通信状態を持続可能に接続されており、固有のＩＤ（３３、４３）を有している接続装置（３０、４０）と、
前記接続装置（３０、４０）と通信可能に接続され、前記接続装置から受信したデータを格納する監視メモリ（７４）を有する監視装置（７０）と、
を備え、
前記接続装置（３０、４０）は、前記室内機（１０、１１、２０、２１、２２）および前記室外機（１２、２３）の少なくともいずれか１つとの通信状態が途絶えて通信が確立されなくなったことを検出する度に、自己と通信可能に接続されている前記機器群監視対象（１、２）の構成および種類の少なくとも１つを示す構成種類情報（３４、３５、４４、４５）を収集し、前記構成種類情報（３４、３５、４４、４５）を前記接続装置（３０、４０）のＩＤ（３３、４３）と共に前記監視装置（７０）に送信する、
空気調和システム（１００）。
【発明の詳細な説明】
【技術分野】
【０００１】
本発明は、装置の監視を行うための空気調和システムに関する。
【背景技術】
【０００２】
従来、複数の室内機や室外機から構成される空気調和装置群を監視する空気調和システムが提案されている。
【０００３】
例えば、以下に示す特許文献１に記載の空気調和システムでは、フロア毎に設置されている空調機器のデータを読み出すために、上位の監視装置から空調機器に対してデータ送信要求の指示が送られている。
【特許文献１】特開２００２−０７１１９８号公報
【発明の開示】
【発明が解決しようとする課題】
【０００４】
しかし、上記特許文献１に記載の空気調和システムでは、監視装置側からのデータ送信要求の指示が送られることが前提となってしまっている。
【０００５】
本発明は、上述した点に鑑みてなされたものであり、本発明の課題は、監視装置側から要求が無くても監視装置が構成情報を監視することが可能な空気調和システムを提供することにある。
【課題を解決するための手段】
【０００６】
第１発明に係る空気調和システムは、第１機器群監視対象と、第１接続装置と、第２機器群監視対象と、第２接続装置と、監視装置とを備えている。第１機器群監視対象は、１または複数の第１室内機と第１室外機とを含んでいる。第１接続装置は、第１室内機および第１室外機の全てと通信可能に接続されており、第１の固有のＩＤを有している。第２機器群監視対象は、１または複数の第２室内機と第２室外機とを含んでいる。第２接続装置は、第２室内機および第２室外機の全てと通信可能に接続されており、第２の固有のＩＤを有している。監視装置は、第１接続装置および第２接続装置と通信可能に接続され、第１接続装置および第２接続装置から受信したデータを格納する監視メモリを有している。第１接続装置は、第１接続装置に対して電源の供給が開始される度に、第１室内機および第１室外機の全てと通信を行って第１機器群監視対象の構成および種類の少なくとも１つを示す第１構成種類情報を収集し、第１構成種類情報を第１接続装置の第１の固有のＩＤと共に監視装置に送信する。第２接続装置は、第２接続装置に対して電源の供給が開始される度に、第２室内機および第２室外機の全てと通信を行って第２機器群監視対象の構成および種類の少なくとも１つを示す第２構成種類情報を収集し、第２構成種類情報を第２接続装置の第２の固有のＩＤと共に監視装置に送信する。なお、構成種類情報と接続装置のＩＤとの対応付け処理は、接続装置が行ってもよいし、監視装置が行ってもよい。なお、ここでいう室内機および室外機の全てと通信を行う場合としては、単に、個々の室内機および室外機それぞれと通信を行う場合が含まれるだけでなく、例えば、ある室外機と冷媒回路を構成している複数の室内機との通信を、当該室外機を介して行うような場合も含まれる。
【０００７】
ここでは、接続装置が、電源の供給を受けることをトリガーとして、自己に接続されている機器群監視対象に含まれる全ての室内機および室外機との通信を行い、構成種類情報を収集し、自己のＩＤと共に監視装置に送信する。
【０００８】
これにより、監視装置側が積極的に機器構成の情報を収集しなくても、監視装置では、接続装置に電源が供給される度に、接続装置に通信可能に接続されている機器群監視対象に含まれる全ての室内機および室外機による構成および種類の少なくともいずれかについての最新の情報を把握することが可能になる。
【０００９】
第２発明に係る空気調和システムは、第１発明の空気調和システムにおいて、第１機器群監視対象には第１接続装置が、第２機器群監視対象には第２接続装置が、それぞれ１対１に対応して設けられている。
【００１０】
ここでは、機器群監視対象と接続装置とが１対１に対応している。
【００１１】
これにより、監視装置は機器群監視対象の故障等を修理して故障前の状態に復帰させる場合であっても、接続装置のＩＤを参照することで、故障等の前の時点における管理をそのまま続行させることが可能になる。
【００１２】
第３発明に係る空気調和システムは、第１発明または第２発明の空気調和システムにおいて、監視メモリは、第１構成種類情報と第１の固有のＩＤとを対応付けて格納しつつ、第２構成種類情報と第２の固有のＩＤとを対応付けて格納している。監視装置は、第１接続装置から第１構成種類情報と第１の固有のＩＤを受信する度に、監視メモリの第１接続装置の第１の固有のＩＤに対応して格納されている第１構成種類情報を上書きし、第２接続装置から第２構成種類情報と第２の固有のＩＤを受信する度に、監視メモリの第２接続装置の第２の固有のＩＤに対応して格納されている第２構成種類情報を上書きする。
【００１３】
ここでは、機器群監視対象の構成が増設等によって更新されることがあっても、その度に監視メモリに上書きされるので、最新情報を監視することが可能になる。
【００１４】
第４発明に係る空気調和システムは、第１発明から第３発明のいずれかの空気調和システムにおいて、第１接続装置は、第１機器群監視対象に内蔵されており、第２接続装置は、第２機器群監視対象に内蔵されている。
【００１５】
ここでは、接続装置は、室内機および室外機とともに機器群監視対象の内蔵されており、構成を簡素化させることができる。
【００１６】
第５発明の空気調和システムでは、機器群監視対象と、接続装置と、監視装置とを備えている。機器群開始対象は、１または複数の室内機と室外機とを含んでいる。接続装置は、室内機および室外機の全てと通信状態を持続可能に接続されており、固有のＩＤを有している。監視装置は、接続装置と通信可能に接続され、接続装置から受信したデータを格納する監視メモリを有している。そして、接続装置は、室内機および室外機の少なくともいずれか１つとの通信状態が途絶えて通信が確立されなくなったことを検出する度に、自己と通信可能に接続されている機器群監視対象の構成および種類の少なくとも１つを示す構成種類情報を収集し、構成種類情報を接続装置のＩＤと共に監視装置に送信する。なお、構成種類情報と接続装置のＩＤとの対応付け処理は、接続装置が行ってもよいし、監視装置が行ってもよい。なお、ここでいう室内機および室外機の全てと通信を行う場合としては、単に、個々の室内機および室外機それぞれと通信を行う場合が含まれるだけでなく、例えば、ある室外機と冷媒回路を構成している複数の室内機との通信を、当該室外機を介して行うような場合も含まれる。
【００１７】
ここでは、接続装置が、室内機および室外機の少なくともいずれか１つとの通信状態が途絶えて通信が確立されなくなったことを検出することをトリガーとして、自己と通信可能に接続されている機器群監視対象についての構成種類情報を収集し、自己のＩＤと共に監視装置に送信する。
【００１８】
これにより、監視装置側が積極的に機器構成の情報を収集しなくても、監視装置では、接続装置との通信が確立されなくなった機器が生じる度に、接続装置に通信可能に接続されている機器群監視対象に含まれる全ての室内機および室外機による構成および種類の少なくともいずれかについての最新の情報を把握することが可能になる。
【発明の効果】
【００１９】
第１発明の空気調和システムでは、監視装置側が積極的に機器構成の情報を収集しなくても、監視装置では、接続装置に電源が供給される度に、接続装置に通信可能に接続されている機器群監視対象に含まれる全ての室内機および室外機による構成および種類の少なくともいずれかについての最新の情報を把握することが可能になる。
【００２０】
第２発明の空気調和システムでは、監視装置は機器群監視対象の故障等を修理して故障前の状態に復帰させる場合であっても、接続装置のＩＤを参照することで、故障等の前の時点における管理をそのまま続行させることが可能になる。
【００２１】
第３発明の空気調和システムでは、機器群監視対象の構成が増設等によって更新されることがあっても、その度に監視メモリに上書きされるので、最新情報を監視することが可能になる。
【００２２】
第４発明の空気調和システムでは、構成を簡素化させることができる。
【００２３】
第５発明の空気調和システムでは、監視装置側が積極的に機器構成の情報を収集することなく、構成種類情報の変化の把握を自動的に行うことが可能になる。
【発明を実施するための最良の形態】
【００２４】
＜空気調和システム１００の概略構成＞
図１に、本発明の一実施形態が採用された空気調和システム１００の概略構成図を示す。
【００２５】
本空気調和システム１００は、遠隔から、制御対象である空気調和装置１、２の監視および管理を行うシステムであって、遠隔監視センタ７０と、空気調和装置１、２とを備えている。
【００２６】
遠隔監視センタ７０は、インターネットを介して空気調和装置１のアダプタ３０および空気調和装置２のアダプタ４０とそれぞれ通信可能に接続されている。
【００２７】
空気調和装置１は、アダプタ３０と、１台の室外機１２と、２台の室内機１０、１１とを有しており、遠隔監視センタ７０によって監視および管理される機器群監視対象である。ここで、２台の室内機１０、１１は、それぞれ室外機１２に対して冷媒配管によって接続されて協働することで、これら３つの機器からなる機器群によって１つの冷媒系統を構成している。アダプタ３０は、室外機１２、室内機１０、１１に対してローカルネットワークを介して通信可能に接続されている。
【００２８】
空気調和装置２は、アダプタ４０と、１台の室外機２３と、３台の室内機２０、２１、２２とを有しており、遠隔監視センタ７０によって監視および管理される機器群監視対象である。ここで、３台の室内機２０、２１、２２は、それぞれ室外機２３に対して冷媒配管によって接続されて協働することで、これら４つの機器からなる機器群によって、上述した空気調和装置１とは別個の、１つの冷媒系統を構成している。アダプタ４０は、室外機２３、室内機２０、２１、２２に対してローカルネットワークを介して通信可能に接続されている。ここで、空気調和装置２は、１台の室外機２３に対して３台の室内機２０、２１、２２が接続されていることで、空気調和装置１の冷媒系統よりも、室内機が１台分多く接続された系統構成が採用されていることになる。
【００２９】
図２に、空気調和システム１００の機能ブロック構成図を示す。
【００３０】
空気調和装置１は、室外機１２に内蔵されている室外制御部１２Ｃと、室内機１０に内蔵されている室内制御部１０Ｃと、室内機１１に内蔵されている室内制御部１１Ｃと、アダプタ３０とがローカルネットワークを介して通信可能に接続されている。アダプタ３０は、ＣＰＵ３１と、アダプタメモリ３２と、通信部３９とを有している。室内制御部１０Ｃ、１１Ｃ、室外制御部１２Ｃは、アダプタ３０のＣＰＵ３１からの制御指令を受けて、各構成部品を駆動制御する。例えば、冷房運転、暖房運転、設定温度、風量、風向等の制御項目がある。また、アダプタ３０には、予め固有の第１アダプタＩＤ３３が付与されており、アダプタメモリ３２に格納されている。このアダプタメモリ３２は、室内制御部１０Ｃ、１１Ｃ、室外制御部１２Ｃとの通信によって取得される空気調和装置１の冷媒系統における系統構成データ３４および第１型番データ３５を格納する。ここで、系統構成データ３４とは、空気調和装置１を構成している各機器の構成情報であり、ここでは、室外機１２が１台に対して、室内機１０、１１の２台が接続された冷媒系統構成であることを示す情報となっている。また、第１型番データ３５は、空気調和装置１を構成する室外機１２、室内機１０、１１の機種や製造番号等に応じた型番を示す情報となっている。なお、空気調和装置１には、図示しないコントローラが設けられており、ユーザは、このコントローラによって所定の指示を操作入力することができる。例えば、試運転を行う旨の指示等を操作入力することができる。また、空気調和装置１では、アダプタ３０が空気調和装置１に内蔵されているため、別構成とする場合よりも構成を簡素化させることができている。
【００３１】
空気調和装置２も、空気調和装置１とほぼ同様の構成を有しており、室外機２３に内蔵されている室外制御部２３Ｃと、室内機２０に内蔵されている室内制御部２０Ｃと、室内機２１に内蔵されている室内制御部２１Ｃと、室内機２２に内蔵されている室内制御部２２Ｃと、アダプタ４０とがローカルネットワークを介して通信可能に接続されている。アダプタ４０は、ＣＰＵ４１と、アダプタメモリ４２と、通信部４９とを有している。室内制御部２０Ｃ、２１Ｃ、２２Ｃ、室外制御部２３Ｃは、アダプタ４０のＣＰＵ４１からの制御指令を受けて、各構成部品を駆動制御する。ここでの制御は、空気調和装置１と同様であり、例えば、冷房運転、暖房運転、設定温度、風量、風向等の制御項目がある。また、アダプタ４０には、第１アダプタＩＤ３３とは別個の、固有の第２アダプタＩＤ４３が予め付与されており、アダプタメモリ４２に格納されている。このアダプタメモリ４２は、室内制御部２０Ｃ、２１Ｃ、２２Ｃ、室外制御部２３Ｃとの通信によって取得される空気調和装置２の冷媒系統における系統構成データ４４および第２型番データ４５を格納する。ここで、系統構成データ４４とは、空気調和装置１と同様であり、空気調和装置２を構成している各機器の構成情報であり、ここでは、室外機２３が１台に対して、室内機２０、２１、２２の３台が接続された冷媒系統構成であることを示す情報となっている。また、第２型番データ４５は、空気調和装置２を構成する室外機２３、室内機２０、２１、２２の機種や製造番号等に応じた型番を示す情報となっている。なお、空気調和装置２には、空気調和装置１と同様に、図示しないコントローラが設けられており、ユーザは、このコントローラによって所定の指示を操作入力することができる。例えば、試運転を行う旨の指示等を操作入力することができる。また、空気調和装置２では、アダプタ４０が空気調和装置２に内蔵されているため、別構成とする場合よりも構成を簡素化させることができている。
【００３２】
遠隔監視センタ７０は、インターネットを介した通信によって遠隔から空気調和装置１および空気調和装置２を監視、管理するための装置であり、ＣＰＵ７１、ディスプレイ７２、ブラウザ７３、センタメモリ７４、通信部７９を備えている。センタメモリ７４には、通信部７９がインターネットを介して空気調和装置１、２の各アダプタ３０、４０の通信部３９、４９との通信を行うことで、各空気調和装置１、２から取得するデータを、第１アダプタＩＤ３３や第２アダプタデータ４３の別にまとめた機器管理テーブル７５が格納される。そして、ＣＰＵ７１は、このセンタメモリ７４に格納されている機器管理テーブル７５に基づいて、ブラウザ７３を機動させて、ディスプレイ７２に監視のため、管理のためのデータを表示出力する。ここで、機器管理テーブル７５は、総合ＩＤデータ７６と、総合系統構成データ７７と、総合型番データ７８とを有している。ここで、総合ＩＤデータ７６は、各空気調和装置１、２のアダプタ３０、４０に対して予め割り振られている第１アダプタＩＤ３３や第２アダプタＩＤ４３のそれぞれのＩＤを基準にして、各アダプタ３０、４０に対応する空気調和装置１、２の系統を明確に区別した監視および管理を行うために、各空気調和装置１、２のデータをこのＩＤに従って区別するためのデータである。総合系統構成データ７７は、各空気調和装置１、２の冷媒系統の構成データを示す情報をまとめたものである。総合型番データ７８は、各空気調和装置１、２の構成部品の型番を示す情報をまとめたものである。ここで、総合系統構成データ７７および総合型番データ７８は、上述した総合ＩＤデータ７６と対応付けられてセンタメモリ７４に格納されている。
【００３３】
＜空気調和システム１００の監視・管理のフローチャート＞
図３に、空気調和システム１００が行う監視・管理のフローチャートを示す。
【００３４】
この空気調和システム１００が行う監視・管理のための処理は、所定のタイミング、例えば、電源投入の起動時や、試運転時に、各空気調和装置１、２が、自己の系統構成データや、型番データを遠隔監視センタ７０に主体的に送信し、遠隔監視センタ７０がこのデータを蓄積していくことで、空気調和装置１、２の監視・管理を行うものである。
【００３５】
ステップＳ１１では、各空気調和装置１、２は、自己に電源が供給されているか否かを判断する。具体的には、各空気調和装置１、２のアダプタ３０、４０が、電源供給を受けているか否かで判断される。ここで、アダプタ３０、４０のＣＰＵ３１、４１が、電源の供給を受けていると判断した空気調和装置１もしくは空気調和装置２については、ステップＳ１２に移行する。ここでは、説明のため、空気調和装置１と空気調和装置２とに分けずにフローチャートを簡単に示している（以下同様である）。
【００３６】
ステップＳ１２では、各空気調和装置１、２は、コントローラから試運転を行う旨の指示が操作入力されているか否か判断する。ここで、アダプタ３０、４０のＣＰＵ３１、４１が試運転を行う旨の指示を受け付けていると判断した空気調和装置１もしくは空気調和装置２については、ステップＳ１３に移行する。
【００３７】
ステップＳ１３では、電源の供給を受けて試運転を開始するアダプタ３０のＣＰＵ３１は、通信部３９によって、自己が接続されている全ての制御部（室外制御部１２Ｃ、室内制御部１０Ｃ、１１Ｃ）と通信を行い、自己が属している空気調和装置（空気調和装置１）の系統構成を調べるために、接続状況を全ての接続機器に対して問い合わせる。電源の供給を受けて試運転を開始するアダプタ４０のＣＰＵ４１についても同様に、通信部４９によって、自己が接続されている全ての制御部（室外制御部２３Ｃ、室内制御部２０Ｃ、２１Ｃ、２２Ｃ）と通信を行い、自己が属している空気調和装置（空気調和装置２）の系統構成を調べるために、接続状況を全ての接続機器に対して問い合わせる。
【００３８】
ステップＳ１４では、空気調和装置１について、アダプタ３０の通信部３９が、自己の冷媒系統に属しており、自己に接続されている室外制御部１２Ｃ、室内制御部１０Ｃ、１１Ｃからの返信を受信する。そして、この受信データによって、ＣＰＵ３１が空気調和装置１の冷媒系統を構成する第１系統構成データ３４を作成し、アダプタメモリ３２に格納する。また、アダプタ３０の通信部３９がこの各構成機器との通信によって受信したデータによって、ＣＰＵ３１は、空気調和装置１の各構成部品についての第１型番データ３５を作成し、アダプタメモリ３２に格納する。また、空気調和装置２についても同様であり、アダプタ４０の通信部４９が、自己の冷媒系統に属しており、自己に接続されている室外制御部２３Ｃ、室内制御部２０Ｃ、２１Ｃ、２２Ｃからの返信を受信する。そして、この受信データによって、ＣＰＵ４１が空気調和装置２の冷媒系統を構成する第２系統構成データ４４を作成し、アダプタメモリ４２に格納する。また、アダプタ４０の通信部４９がこの各構成機器との通信によって受信したデータによって、ＣＰＵ４１は、空気調和装置２の各構成部品についての第２型番データ４５を作成し、アダプタメモリ４２に格納する。
【００３９】
ステップＳ１５では、空気調和装置１について、アダプタ３０の通信部３９は、アダプタメモリ３２に格納されている第１系統構成データ３４および第１型番データ３５を予めアダプタ３０に割り当てられている第１アダプタＩＤと対応付けて、遠隔監視センタ７０に対してインターネットを介して送信する。また、空気調和装置２についても同様に、アダプタ４０の通信部５９は、アダプタメモリ５２に格納されている第２系統構成データ４４および第２型番データ４５を予めアダプタ４０に割り当てられている第２アダプタＩＤと対応付けて、遠隔監視センタ７０に対してインターネットを介して送信する。
【００４０】
ステップＳ１６では、遠隔監視センタ７０のＣＰＵ７１は、各空気調和装置１、２のアダプタ３０、４０から受信したデータを、各アダプタ３０、４０のアダプタＩＤが対応付けられたデータを区別しつつ、アダプタＩＤ毎の機器管理テーブル７５を作成して、センタメモリ７４に格納して、データを蓄積していく。ＣＰＵ７１は、このセンタメモリ７４に格納された機器管理テーブル７５に基づいて、ブラウザ７３を機動させてディスプレイ７２に表示出力させ、遠隔からの監視および管理を行う。
【００４１】
以上の処理は、電源供給があり、試運転が行われる度に、機器管理テーブル７５がアダプタＩＤに基づいて上書きされ、更新されていくため、常に最新の情報を監視することができる。
【００４２】
＜本実施形態に係る空気調和システム１００の特徴＞
（１）
本実施形態に係る空気調和システム１００では、各空気調和装置１、２に電源が投入されて、コントローラから試運転の指示がされる度に、各空気調和装置１、２のアダプタ３０、４０は、自己のアダプタＩＤと対応付けた機器構成データ３４、４４および型番データ３５、４５を自ら自動的に遠隔監視センタ７０に送信する。そして、遠隔監視センタ７０では、各アダプタ３０、４０からのデータを受信する度に、機器管理テーブル７５に蓄積していく。このため、遠隔監視センタ７０では、自らアダプタ３０、４０に向けて情報収集を行わなくても、常に、アダプタ３０、４０に電源が供給されて試運転が行われる度に、アダプタ３０、４０に通信可能に接続されている空気調和装置１、２に含まれる全ての室内機１０、１１、２０、２１、２２および室外機１２、２３による系統構成および型番についての最新の情報を自動的に把握することができる。
【００４３】
（２）
本実施形態に係る空気調和システム１００では、遠隔監視センタ７０が、各空気調和装置１、２毎に設けられたアダプタ３０、４０のアダプタＩＤに基づいて、各空気調和装置１、２の監視および管理を行っている。このため、空気調和装置１、２において系統を構成する室内機等で故障が生じて駆動しなくなったものがでてきた場合等において、正常に駆動する室内機等に更新する場合があったとしても、遠隔監視センタ７０の機器管理テーブル７５に監視対象の系統構成の内容が保持されているため、わざわざ、ユーザが遠隔監視センタ７０に対して「室内機の更新」によるデータの更新入力作業を行う必要がない。
【００４４】
（３）
本実施形態に係る空気調和システム１００では、遠隔監視センタ７０が、各空気調和装置１、２毎に設けられたアダプタ３０、４０のアダプタＩＤに基づいて、各空気調和装置１、２の型番を把握している。このため、空気調和装置１、２において系統を構成する室内機等の構成部品が破損した場合等において、修理のために新しい構成部品を用意する場合であっても、遠隔監視センタ７０の機器管理テーブル７５に監視対象の構成部品の型番データが格納されているため、修理を行うサービスエンジニアは、型番のデータに基づいて、容易に必要な構成部品を把握することができる。
【００４５】
（４）
本実施形態に係る空気調和システム１００では、電源投入による試運転が行われる度に、遠隔監視センタ７０に対して、各空気調和装置１、２の系統構成データ３４、４４が自動的に送信されている。このため、例えば、空気調和装置１において、室内機を増設させて系統構成に変更が生じることがあっても、増設後、電源供給されて試運転が開始されると、遠隔監視センタ７０は、室内機が増設された新しい系統構成のデータを機器管理テーブル７５に蓄積していくことが可能になっている。これにより、遠隔監視センタ７０では、機器の増設等によって系統構成に変更が生じる場合であっても、ユーザが更新される系統構成データを遠隔監視センタ７０において直接入力する作業を行わなくても、自動的にセンタメモリ７４に格納されている機器管理テーブル７５が更新されることになり、監視および管理が容易になる。
【００４６】
＜空気調和システム１００の変形例＞
以上、本発明の実施形態について図面に基づいて説明したが、具体的な構成は、これらの実施形態に限られるものではなく、発明の要旨を逸脱しない範囲で変更可能である。
【００４７】
（Ａ）
上記実施形態では、図１および図２に示すように、アダプタ３０、４０が、空気調和装置１、２に内蔵されている場合を例に挙げて説明した。
【００４８】
しかし、本発明はこれに限られるものではなく、図４および図５に示すように、アダプタ３０、４０は、空気調和装置１、２とは別体として通信可能に設けられた空気調和システム２００であってもよい。この場合であっても、上記実施形態の空気調和システム１００と同様の効果を奏することができる。
【００４９】
（Ｂ）
上記実施形態では、アダプタ３０の通信部３９は、アダプタメモリ３２に格納されている第１系統構成データ３４および第１型番データ３５を予めアダプタ３０に割り当てられている第１アダプタＩＤと対応付けて、遠隔監視センタ７０に対して送信する場合を例に挙げて説明した。
【００５０】
しかし、本発明はこれに限られるものではなく、例えば、アダプタ３０は、アダプタメモリ３２に格納されている第１系統構成データ３４および第１型番データ３５を予めアダプタ３０に割り当てられている第１アダプタＩＤと対応付けることなく、遠隔監視センタ７０に対してインターネットを介してそれぞれ送信し、このデータを受信した遠隔監視センタ７０のＣＰＵ７１が、第１系統構成データ３４および第１型番データ３５を第１アダプタＩＤと対応付ける処理を行ってセンタメモリ７４に格納するようにしてもよい。この場合であっても、上記実施形態と同様の効果を奏することができる。
【００５１】
（Ｃ）
上記実施形態では、電源供給の開始をトリガーとして、アダプタ３０が第１系統構成データ３４および第１型番データ３５を予めアダプタ３０に割り当てられている第１アダプタＩＤと対応付けて遠隔監視センタ７０に対してインターネットを介して送信し、アダプタ４０も同様に送信する場合について例に挙げて説明した。
【００５２】
しかし、本発明はこれに限られるものではなく、例えば、アダプタ３０が自己と通信線を介して接続されている室内制御部１０Ｃ、１１Ｃ、室外制御部１２Ｃのいずれかとの通信状態が途絶えて通信が確立されなくなったことをトリガーとして（ＣＰＵ３１が検出して）、アダプタ３０が、自己と通信が確立されている対象についての第１系統構成データ３４および第１型番データ３５を予めアダプタ３０に割り当てられている第１アダプタＩＤと対応付けて遠隔監視センタ７０に対してインターネットを介して送信するようにしてもよい。アダプタ４０についても同様である。
【００５３】
このようにすることで、遠隔監視センタ７０では、自らアダプタ３０、４０に向けて情報収集を行わなくても、通信の確立が途絶えた室内機もしくは室外機が生じた場合に、アダプタ３０、４０に通信可能に接続されている空気調和装置１、２に含まれる全ての室内機１０、１１、２０、２１、２２および室外機１２、２３による系統構成および型番についての最新の情報を自動的に把握することができる。
【産業上の利用可能性】
【００５４】
本発明を利用すれば、監視装置側から要求が無くても監視装置が構成情報を監視することが可能なため、特に、複数の室外機と室内機から構成される空気調和システムの監視や管理において有用である。
【図面の簡単な説明】
【００５５】
【図１】本発明の一実施形態に係るシステム概略構成図。
【図２】空気調和システムの概略機能ブロック図。
【図３】監視・管理のための概略フローチャート。
【図４】変形例（Ａ）に係る空気調和システムの概略構成図。
【図５】変形例（Ａ）に係る空気調和システムの概略機能ブロック図。
【符号の説明】
【００５６】
１    空気調和装置（機器群監視対象）
２    空気調和装置（機器群監視対象）
１０、１１、２０、２１、２２    室内機
１２、２３    室外機
３０    アダプタ（接続装置）
３３    第１アダプタＩＤ（構成種類情報、ＩＤ）
３４    第１系統構成データ（構成種類情報、構成情報）
４０    アダプタ（接続装置）
４３    第２アダプタＩＤ（構成種類情報、ＩＤ）
４４    第２系統構成データ（構成種類情報、構成情報）
７０    遠隔監視センタ（監視装置）
７４    センタメモリ（監視メモリ）
１００    空気調和システム
【図１】
0005125330.tif 000002
【図２】
0005125330.tif 000003
【図３】
0005125330.tif 000004
【図４】
0005125330.tif 000005
【図５】
0005125330.tif 000006